(57)【特許請求の範囲】
【請求項１】
断熱心材とその上下に上面板及び下面板を接着してなる断熱パネル同士を不燃性目地材を介して接合する天井用断熱パネルの接合構造において、
上記断熱パネルの接合部において、少なくとも一方の断熱パネルの下面板が剥離により下方に変位した際に、該下面板が該断熱パネルの上面板と係合可能、又は、一方の断熱パネルの下面板が他方の断熱パネルに係合可能、若しくは、上記目地材に係合可能に形成され、
上記断熱パネルの上面板の下面に取付座金を連結し、該取付座金は、上記上面板の辺部から上記下面板に向かって折曲されると共に、その先端から上下面板と平行若しくは上方に向かって折曲される係合受け片が形成され、
上記断熱パネルの下面板は、その辺部から上記上面板に向かって折曲されると共に、その先端から上下面板と平行若しくは下方に向かって折曲される係合片が形成され、
上記下面板が下方に変位した際に、上記係合片が上記係合受け片を介して上面板に係合可能に形成してなる、ことを特徴とする天井用断熱パネルの接合構造。
【請求項２】
断熱心材とその上下に上面板及び下面板を接着してなる断熱パネル同士を不燃性目地材を介して接合する天井用断熱パネルの接合構造において、
上記断熱パネルの接合部において、少なくとも一方の断熱パネルの下面板が剥離により下方に変位した際に、該下面板が該断熱パネルの上面板と係合可能、又は、一方の断熱パネルの下面板が他方の断熱パネルに係合可能、若しくは、上記目地材に係合可能に形成され、
上記断熱パネルの上面板は、その辺部から上記下面板に向かって折曲されると共に、その先端から上下面板と平行若しくは上方に向かって折曲される係合受け片が形成され、
上記断熱パネルの下面板は、その辺部から上記上面板に向かって折曲されると共に、その先端から上下面板と平行若しくは下方に向かって折曲される係合片が形成され、
上記下面板が下方に変位した際に、上記係合片が上記係合受け片に係合可能に形成してなり、
上記上面板に形成された係合受け片と上記下面板に形成された係合片の対向する面のうち、少なくとも一方に断熱部材が接着されている、ことを特徴とする天井用断熱パネルの接合構造。
【請求項３】
請求項１又は２に記載の天井用断熱パネルの接合構造において、
接合される一方の断熱パネルの下面板は、その辺部から上記上面板に向かって折曲されると共に、その先端から外方に向かって上下面板と平行に折曲される係合片が形成され、
接合される他方の断熱パネルの下面板は、その辺部から外方に向かって延設されると共に、その先端から内方に向かって延設片と平行に折曲される係合突出部が形成され、
上記一方の断熱パネルの下面板が下方に変位した際に、上記係合片が上記係合突出部に係合可能に形成してなる、ことを特徴とする天井用断熱パネルの接合構造。
【発明の詳細な説明】
【技術分野】
【０００１】
この発明は、例えばクリーンルームや倉庫等の建築物の天井を構成する天井用断熱パネルの接合構造に関するものである。
【背景技術】
【０００２】
一般に、例えばクリーンルームや倉庫等の建築物の天井を構成するパネルの一種として、一対の表面板間に断熱心材を挟み込んだ断熱構造のものが使用されている。
【０００３】
上記のように構成されるパネルとして、一対の表面板と、これら表面板の辺部間に介在される枠材と、両表面板及び枠材にて形成される空間内に充填される断熱心材と、からなる断熱パネルが知られている（例えば、特許文献１参照）。
【０００４】
特許文献１に記載のものには、断熱パネルの下面に配置される表面板（下面板）は、該下面板の辺部に形成された端部折曲片を枠材に形成された嵌合溝に嵌合すると共に、パネル空間内に充填される断熱心材と接着されている。
【先行技術文献】
【特許文献】
【０００５】
【特許文献１】特開２００９−８４７８２号公報
【発明の概要】
【発明が解決しようとする課題】
【０００６】
しかしながら、特許文献１に記載のものにおいては、経年変化により下面板と断熱心材の接着性が低下し、下面板が剥離する懸念がある。その結果、断熱パネルの断熱性及び断熱パネル同士の接合部の気密性・断熱性を低下させる懸念がある。更に、重力の作用により下面板の剥離が拡がると共に下面板と枠材との嵌合が不十分となって、下面板が剥がれる懸念がある。
【０００７】
この発明は上記事情に鑑みてなされたもので、下面板の剥離を最小限にして、断熱パネルの断熱性の維持が図れると共に、断熱パネル同士の接合部の気密性・断熱性の維持が図れるようにした天井用断熱パネルの接合構造を提供することを目的とする。
【課題を解決するための手段】
【０００８】
上記課題を達成するために、請求項１記載の発明は、断熱心材とその上下に上面板及び下面板を接着してなる断熱パネル同士を不燃性目地材を介して接合する天井用断熱パネルの接合構造において、  上記断熱パネルの接合部において、少なくとも一方の断熱パネルの下面板が剥離により下方に変位した際に、該下面板が該断熱パネルの上面板と係合可能、又は、一方の断熱パネルの下面板が他方の断熱パネルに係合可能、若しくは、上記目地材に係合可能に形成され、  上記断熱パネルの上面板の下面に取付座金を連結し、該取付座金は、上記上面板の辺部から上記下面板に向かって折曲されると共に、その先端から上下面板と平行若しくは上方に向かって折曲される係合受け片が形成され、  上記断熱パネルの下面板は、その辺部から上記上面板に向かって折曲されると共に、その先端から上下面板と平行若しくは下方に向かって折曲される係合片が形成され、  上記下面板が下方に変位した際に、上記係合片が上記係合受け片を介して上面板に係合可能に形成してなる、ことを特徴とする。
【０００９】
このように構成することにより、一方の断熱パネルの下面板が剥離により下方に変位した際に、下面板が断熱パネルの上面板と係合、又は、一方の断熱パネルの下面板が他方の断熱パネルに係合、若しくは、目地材に係合するため、下面板の剥離を最小限にすることができる。
【００１０】
請求項２記載の発明は、断熱心材とその上下に上面板及び下面板を接着してなる断熱パネル同士を不燃性目地材を介して接合する天井用断熱パネルの接合構造において、  上記断熱パネルの接合部において、少なくとも一方の断熱パネルの下面板が剥離により下方に変位した際に、該下面板が該断熱パネルの上面板と係合可能、又は、一方の断熱パネルの下面板が他方の断熱パネルに係合可能、若しくは、上記目地材に係合可能に形成され、 上記断熱パネルの上面板は、その辺部から上記下面板に向かって折曲されると共に、その先端から上下面板と平行若しくは上方に向かって折曲される係合受け片が形成され、  上記断熱パネルの下面板は、その辺部から上記上面板に向かって折曲されると共に、その先端から上下面板と平行若しくは下方に向かって折曲される係合片が形成され、  上記下面板が下方に変位した際に、上記係合片が上記係合受け片に係合可能に形成してなり、  上記上面板に形成された係合受け片と上記下面板に形成された係合片の対向する面のうち、少なくとも一方に断熱部材が接着されている、ことを特徴とする。
【００１１】
請求項１，２記載の発明によれば、断熱パネルの下面板が剥離により下方に変位した際に、下面板が該断熱パネルの上面板と確実に係合することができるため、下面板の剥離を最小限にすることができる。
【００１３】
請求項２記載の発明によれば、上面板と下面板の接触によるヒートブリッジの発生を抑制することができるため、断熱パネルの断熱性能の向上を図ることができる。
【００１４】
この発明において、接合される一方の断熱パネルの下面板は、その辺部から上記上面板に向かって折曲されると共に、その先端から外方に向かって上下面板と平行に折曲される係合片が形成され、接合される他方の断熱パネルの下面板は、その辺部から外方に向かって延設されると共に、その先端から内方に向かって延設片と平行に折曲される係合突出部が形成され、上記一方の断熱パネルの下面板が下方に変位した際に、上記係合片が上記係合突出部に係合可能に形成してもよい（請求項３）。
【００１５】
このように構成することにより、一方の断熱パネルの下面板が剥離により下方に変位した際に、一方の断熱パネルの下面板が他方の断熱パネルに確実に係合することができるため、一方の断熱パネルの下面板の剥離を最小限にすることができる。
【発明の効果】
【００１８】
この発明に係る天井用断熱パネルの接合構造によれば、接合状態の断熱パネルの下面板が剥離により下方に変位した際に、下面板が断熱パネルの上面板と係合、又は、一方の断熱パネルの下面板が他方の断熱パネルに係合、若しくは、目地材に係合し、下面板の剥離を最小限にすることができるため、断熱パネルの断熱性の維持が図れると共に、断熱パネル同士の接合部の気密性・断熱性の維持が図れる。
【図面の簡単な説明】
【００１９】
【図１】この発明に係る天井用断熱パネルの接合構造の第１実施形態を示す拡大断面図である。
【図２】第１実施形態におけるパネルの一端部と他端部の一部を断面で示す斜視図である。
【図３】第１実施形態における下面板が下方に変位した状態を示す拡大断面図である。
【図４】この発明に係る天井用断熱パネルの接合構造の第２実施形態を示す拡大断面図である。
【図５】第２実施形態におけるパネルの一端部と他端部の一部を断面で示す斜視図である。
【図６】第２実施形態における下面板が下方に変位した状態を示す拡大断面図である。
【図７】この発明に係る天井用断熱パネルの接合構造の第３実施形態を示す拡大断面図である。
【図８】第３実施形態におけるパネルの一端部と他端部の一部を断面で示す斜視図である。
【図９】第３実施形態における目地材の斜視図である。
【図１０】第３実施形態における下面板が下方に変位した状態を示す拡大断面図である。
【図１１】この発明に係る天井用断熱パネルの接合構造の第４実施形態を示す拡大断面図である。
【図１２】第４実施形態におけるパネルの一端部と他端部の一部を断面で示す斜視図である。
【図１３】第４実施形態における下面板が下方に変位した状態を示す拡大断面図である。
【図１４】この発明に係る天井用断熱パネルの接合構造の第５実施形態を示す拡大断面図である。
【図１５】第５実施形態におけるパネルの一端部と他端部の一部を断面で示す斜視図である。
【図１６】第５実施形態における下面板が下方に変位した状態を示す拡大断面図である。
【発明を実施するための形態】
【００２０】
以下に、この発明を実施するための形態について、添付図面に基づいて詳細に説明する。
【００２１】
＜第１実施形態＞
この発明における断熱パネルＰ（以下にパネルＰという）は、図１，２に示すように、断熱心材２０と、断熱心材２０の上下に接着される表面板１，２（以下に上面板１，下面板２という）と、上面板１の内面側に当接される取付座金３０と、で構成されている。
【００２２】
この場合、上下面板１，２は、例えばアルミニウム合金によって一定規格の大きさの矩形薄板状に形成されている。図１に示すように、上面板１は、その辺部から下面板２に向かって折曲されると共に、その先端から上方に向かって折曲される係合受け片１Ａ，１Ｂが形成されている。一方、下面板２は、その辺部から上面板１に向かって折曲されると共に、その先端から下方に向かって折曲される係合片２Ａ，２Ｂが形成されている。更に、パネルＰ１の下面板は、その辺部から上面板１に向かって折曲されると共に、その先端から外方に向かって上下面板１，２と平行に折曲される係合片２Ｃが形成され、パネルＰ２の下面板２は、その辺部から外方に向かって延設されると共に、その先端から内方に向かって延設片２ｅと平行に折曲される係合突出部２Ｄが形成されている。
【００２３】
詳細には、図２に示すように、上面板１の一端部（図において左側）には、辺部を下方に向かって略Ｓ字状に折曲すると共に側方に向かって上面板１と水平に延設される段部１ａと、段部１ａの端部から下面板に向かって折曲される折曲片１ｂと、折曲片１ｂの端部から内方且つ上方に向かって折曲される傾斜片１ｃと、が形成されている。この場合、折曲片１ｂと傾斜片１ｃにより上述した係合受け片１Ａが形成される。また、段部１ａと折曲片１ｂと傾斜片１ｃによりパネルＰの接合面に上方接合部１Ｓが形成される。
【００２４】
一方、上面板１の他端部（図において右側）には、その辺部から外方に向かって延設されると延設片１ｄと、延設片１ｄの先端から内方に向かって延設片１ｄと重なるように平行に折曲される水平片１ｅと、水平片１ｅの端部から隣接するパネルＰの上面板１に形成される上方接合部１Ｓを収納する断面略逆Ｌ字状の基部１ｆと、基部１ｆの端部から下面板２に向かって折曲される折曲片１ｇと、折曲片１ｇの端部から内方且つ上方に向かって折曲される傾斜片１ｈと、が形成されている。この場合、折曲片１ｇと傾斜片１ｈにより上述した係合受け片１Ｂが形成される。また、基部１ｆと折曲片１ｇと傾斜片１ｈによりパネルＰの接合面に下方接合部１Ｔが形成される。
【００２５】
また、下面板２の一端部（図において左側）には、辺部から上面板１に向かって折曲される第１の折曲片２ａと、第１の折曲片２ａの先端から外方に向かって下面板２と水平に折曲される水平片２ｂと、水平片２ｂの端部から上面板１に向かって折曲される第２の折曲片２ｃと、第２の折曲片２ｃの端部から外方且つ下方に折曲される傾斜片２ｄと、が形成されている。この場合、第２の折曲片２ｃと傾斜片２ｄにより上述した係合片（第２の係合片）２Ａが形成される。また、第１の折曲片２ａと水平片２ｂにより上述した係合片（第１の係合片）２Ｃが形成されている。
【００２６】
一方、下面板２の他端部（図において右側）には、その辺部から外方に向かって延設されると延設片２ｅと、延設片２ｅの先端から内方に向かって延設片２ｅと重なるように平行に折曲される水平片２ｆと、水平片２ｆの端部から上面板１に向かって折曲される折曲片２ｇと、折曲片２ｇの端部から外方且つ下方に向かって折曲される傾斜片２ｈと、が形成されている。この場合、折曲片２ｇと傾斜片２ｈにより上述した係合片２Ｂが形成される。また、延設片２ｅと水平片２ｆにより上述した係合突出部２Ｄが形成されている。
【００２７】
断熱心材２０は、例えばポリウレタンフォームにて成形され、図１，図２に示すように、端部には上下面板１，２間の端部に形成される凸条を収納できるように長手方向に凸条２０ａが形成されている。
【００２８】
取付座金３０は、図１に示すように、パネルＰの端部の上面板１下面の所定の位置例えば角部に当接される矩形状の基板３０ａで形成され、基板３０ａには図示しない取付孔が設けられている。図１に示すように、下面には取付孔に連通する取付ねじ受け部３１が固着されている。この取付ねじ受け部３１は例えばＮＣナットあるいはバーリング加工された取付孔に刻設された雌ねじ部にて形成されている。
【００２９】
上記のように構成されるパネルＰを作製するには、予め上記のように辺部が折曲された下面板２を断熱心材２０の下面と接着剤を介して接着した後、上記のように辺部が折曲された上面板１に両面粘着テープを介して取付座金３０を仮接着し、断熱心材２０の上面に接着剤を介して接着させる。この際、図２に示すように、上面板１に形成された係合受け片１Ａ，１Ｂと下面板２に形成された係合片２Ａ，２Ｂが、垂直方向において重複するように配置する。
【００３０】
次に、天井構造について説明する。天井構造は、図１に示すように、図示しない躯体（天井スラブ）から吊り下げられる吊りボルトと吊り金具によって吊持される天井梁４０に、連結金具４１を介してパネルＰが取り付けられている。この場合、天井梁４０は、例えばアルミニウム合金製の押出形材にて形成され、断面がＣ字状に形成されている。この天井梁４０の下面に板状断熱部材４２を介してパネルＰの短辺側が配置されている。
【００３１】
上記連結金具４１は、例えばアルミニウム合金製の押出形材にて形成され、天井梁４０を外側からコ字状に囲むようにして取り付けられ、下側フランジ部４１ａの下面に当接するパネルＰに接着された取付座金３０に設けられた上記取付ねじ受け部３１にねじ結合される連結ボルト３５によって固定（連結）されるようになっている。また、連結金具４１の壁部と天井梁４０の垂直片とは、固定ねじ４３によって固定されている。なお、図３，４，６，７，１０，１１，１３，１４，１６においては、天井構造について省略してある。
【００３２】
次に、パネルＰの接合構造について説明する。図１に示すように、接合される両パネルＰ（パネルＰ１，Ｐ２）は接合面に形成される上部接合部１Ｓと下部接合部１Ｔを、断面クランク状の目地材２５を介して合致して接合する。目地材２５は、不燃性例えばアルミニウム合金製の押出形材であって、図３に示すように、水平基片２５ａと水平基片２５ａの一辺から上面板１に向かって屈曲して延設される第１の垂直片２５ｂと、水平基片２５ａの対向する辺から下面板２に向かって屈曲して延設される第２の垂直片２５ｃと、で形成されている。上記のように形成される目地材２５の左側面には上方段部２５Ａが形成され、右側面に下方段部２５Ｂが形成される。パネルＰ１，Ｐ２を接合するには、パネルＰ１，Ｐ２を対峙させた後、パネルＰ２の接合面に形成された下方接合部１Ｔに目地材２５の下方段部２５Ｂを係合させ、目地材２５の左側面に形成された上方段部２５Ａに、パネルＰ１の接合面に形成された上方接合部１Ｓを係合して接合する。なお、段部１ａと段部１ａに沿って配置される水平片１ｅ、及び、第１の係合片２Ｃと第１の係合片２Ｃに沿って配置される係合突出部２Ｄの間には、接触しないように隙間が形成されている。隙間を形成することにより、隣り合う上下面板１，２の接触によるヒートブリッジの発生を抑制することができる。
【００３３】
次に、パネルＰの下面板２が剥離によって下方に変位した場合について説明する。図３には、パネルＰ（パネルＰ１，Ｐ２）の下面板２が下方に変位した場合を誇張して図示してある。パネルＰ１の下面板２は、下面板２が断熱心材２０から剥離し下方に変位すると、上面板１に形成される係合受け片１Ａに下面板２の第２の係合片２Ａが係合する。また、パネルＰ２の下面板２は、上面板１に形成される係合受け片１Ｂに下面板２の係合片２Ｂが係合する。このため、パネルＰ１，Ｐ２の下面板２の剥離を最小限にすることができる。
【００３４】
なお、図３においては、両パネルＰ１，Ｐ２の下面板２が下方に変位した場合について図示したが、例えばＰ１の下面板２のみが下方に変位した場合、下面板２に形成された第１の係合片２ＣがパネルＰ２の下面板２に形成された係合突出部２Ｄに係合する。このため、下面板２は第１の係合片２Ｃと係合突出部２Ｄの間の隙間分のみ下方に変位するので、パネルＰ１の下面板２の剥離を最小限にすることができる。すなわち、パネルＰ１については下面板２が下方に変位した際、下面板２に形成される第１の係合片２ＣがパネルＰ２に形成される係合突出部２Ｄに係合可能に形成されていると共に、下面板２に形成される第２の係合片２ＡがパネルＰ１の上面板１の係合受け片１Ａと係合可能に形成されている。
【００３５】
なお、上記説明では、係合受け片１Ａ，１Ｂが上向きに形成され、係合片２Ａ，２Ｂが下向きに形成される場合について説明したが、係合受け片１Ａ，１Ｂと係合片２Ａ，２Ｂを上下面板１，２と平行に形成してもよい。
【００３６】
上記のように構成されるパネルＰの接合構造によれば、パネルＰ１，Ｐ２の下面板２が下方に変位した際に、下面板２がパネルＰ１，Ｐ２の上面板１と係合し、下面板２の剥離を最小限にすることができるため、パネルＰ１，Ｐ２の断熱性の維持が図れると共に、パネルＰ１とＰ２の接合部の気密性・断熱性の維持を図れる。
【００３７】
更に、パネルＰ１の下面板２のみが下方に変位した際、パネルＰ１の下面板２がパネルＰ２に係合し、パネルＰ１の下面板２の剥離を最小限にすることができるため、パネルＰ２の断熱性の維持が図れると共に、パネルＰ１とＰ２の接合部の気密性・断熱性の維持を図れる。
【００３８】
＜第２実施形態＞
第１実施形態では、パネルＰ１の下面板２が剥離によって下方に変位した際に、下面板２に形成された係合片２ＡがパネルＰ１の上面板１に形成された係合受け片１Ａと係合したが、図４に示すように、接合される一方のパネルＰ４の下面板４の辺部に形成される係合片４Ｃを、他方のパネルＰ３の下面板４の辺部に形成される係合突出部４Ｂに係合可能に形成してもよい。この場合、図６に示すように、接合される一方のパネルＰ４の下面板４は、その辺部から上面板３に向かって折曲されると共に、その先端から外方に向かって上下面板３，４と平行に折曲される係合片４Ｃが形成されている。また、他方のパネルＰ３の下面板４は、その辺部から外方に向かって延設されると共に、その先端から内方に向かって延設片４ａと平行に折曲される係合突出部４Ｂが形成されている。接合された状態で、パネルＰ４の下面板４が剥離によって下方に変位した際に、係合片４Ｃが係合突出部４Ｂに係合することにより、パネルＰ４の下面板４の剥離を最小限にすることができる。
【００３９】
この実施形態における断熱パネルＰａ（以下にパネルＰａという）は、図４，５に示すように、断熱心材２０Ａと、断熱心材２０Ａの上下に接着される表面板３，４（以下に上面板３，下面板４という）と、上面板３の内面側に当接される取付座金３０と、で構成されている。
【００４０】
図５に示すように、上面板３の一端部（図において左側）には、辺部から下面板４に向かって折曲される折曲片３ａと、折曲片３ａの端部から外方且つ上下面板３，４と平行に折曲される水平片３ｂと、が形成されている。この場合、折曲片３ａと水平片３ｂにより係合受け片３Ａが形成される。
【００４１】
一方、上面板３の他端部（図において右側）には、辺部３ｃから下面板４に向かって折曲される折曲片３ｄと、折曲片３ｄの端部から内方且つ上下面板３，４と平行に折曲される水平片３ｅと、が形成されている。
【００４２】
また、下面板４の一端部（図において左側）には、その辺部から外方に向かって延設される延設片４ａと、延設片４ａの端部から上面板３に向かって折曲される折曲片４ｂと、折曲片４ｂの端部から内方且つ下面板４と水平に折曲される水平片４ｃと、が形成されている。この場合、延設片４ａと屈曲片４ｂと水平片４ｃにより上述した係合突出部４Ｂが形成されている。また、折曲片４ｂと水平片４ｃにより係合片４Ａが形成されている。
【００４３】
一方、下面板４の他端部（図において右側）には、その辺部から上面板３に向かって折曲される折曲片４ｄと、折曲片４ｄの端部から外方に向かって上下面板３，４と平行に折曲される水平片４ｅと、が形成されている。この場合、折曲片４ｄと水平片４ｅにより上述した係合片４Ｃが形成される。
【００４４】
また、パネルＰａの一端部（図において左側）の接合面には延設片４ａと折曲片４ｂと水平片４ｃにより下方接合部４Ｓが形成され、他端部（図において右側）には上面板３の辺部３ｃと折曲片３ｄと下面板４の水平片４ｅにより上方接合部４Ｔが形成されている。
【００４５】
断熱心材２０Ａは、図４，図５に示すように、その両端部に上方接合部４Ｔ，下方接合部４Ｓ空間内に充填されるように凸条２０ｂ，２０ｃが形成されている。
【００４６】
上記のように構成されるパネルＰａを作製するには、予め上記のように辺部が折曲された上面板３に両面粘着テープを介して取付座金３０を仮接着し、断熱心材２０Ａの上面に接着剤を介して接着した後、上記のように辺部が折曲された下面板４を、断熱心材２０Ａの下面に接着剤を介して接着させる。この際、図５に示すように、上面板３の一端部に形成された係合受け片３Ａと下面板４に形成された係合片４Ａが、垂直方向において重複するように配置する。
【００４７】
なお、第２実施形態において、その他の部分は上述した第１実施形態と同じであるので、同一部分には同一符号を付して説明を省略する。
【００４８】
次に、パネルＰａの接合構造について説明する。図４に示すように、接合される両パネルＰａ（パネルＰ３，Ｐ４）は接合面に形成される下方接合部４Ｓと上方接合部４Ｔを、断面クランク状の目地材２６を介して合致して接合する。目地材２６は、不燃性例えばアルミニウム合金製の押出形材であって、図６に示すように、水平基片２６ａと水平基片２６ａの一辺から上面板３に向かって屈曲して延設される第１の垂直片２６ｂと、水平基片２６ａの対向する辺から下面板４に向かって屈曲して延設される第２の垂直片２６ｃと、で形成されている。上記のように形成される目地材２６の左側面には下方段部２６Ａが形成され、右側面に上方段部２６Ｂが形成される。パネルＰ３，Ｐ４を接合するには、パネルＰ３，Ｐ４を対峙させた後、パネルＰ３の接合面に形成される下方接合部４Ｓに目地材２６の下方段部２６Ａを係合させ、目地材２６の右側面に形成された上方段部２６Ａに、パネルＰ４の接合面に形成される上方接合部４Ｔを係合して接合する。
【００４９】
次に、パネルＰａの下面板４が剥離によって下方に変位した場合について説明する。図６には、パネルＰａ（パネルＰ３，Ｐ４）の下面板４が下方に変位した場合を誇張して図示してある。パネルＰ４の下面板４は、下面板４が断熱心材２０Ａから剥離し下方に変位すると、下面板４に形成された係合片４ＣがパネルＰ３の下面板４に形成された係合突出部４Ｂに目地材２６を介して係合する。このため、下面板４の剥離を最小限にすることができる。一方、パネルＰ３の下面板４は、下方に変位すると上面板３に形成される係合受け片３Ａに下面板４に形成される係合片４Ａが係合する。このため、パネルＰ３についても、下面板４の剥離を最小限にすることができる。
【００５０】
なお、図６においては、両パネルＰ３，Ｐ４の下面板４が下方に変位した場合について図示したが、例えばパネルＰ４の下面板４のみが剥離した場合、下面板４に形成された係合片４Ｃが、パネルＰ３の下面板４に形成された下方に変位していない係合突出部４Ｂに係合する。このため、パネルＰ４の下面板４の剥離を最小限にすることができる。
【００５１】
上記のように構成されるパネルＰａの接合構造によれば、Ｐ４の下面板４が下方に変位した際、パネルＰ４の下面板４がパネルＰ３に係合し、パネルＰ４の下面板４の剥離を最小限にすることができるため、パネルＰ４の断熱性の維持が図れると共に、パネルＰ３とＰ４の接合部の気密性・断熱性の維持を図れる。
【００５２】
また、パネルＰ３の下面板４が下方に変位した際に、下面板４がパネルＰ３の上面板３と係合し、下面板４の剥離を最小限にすることができるため、パネルＰ３の断熱性の維持が図れると共に、パネルＰ３とＰ４の接合部の気密性・断熱性の維持を図れる。
【００５３】
＜第３実施形態＞
第１実施形態では、パネルＰの下面板２が剥離によって下方に変位した際に、下面板２がパネルＰの上面板１と係合したが、図７に示すように、断熱パネルＰｂ（以下にパネルＰｂという）の下面板６が剥離によって下方に変位した際に、下面板６の辺部に形成される係合片６Ａ，６ＢをパネルＰｂ間に介在される目地材２７に係合可能に形成してもよい。この場合、図７，図１０に示すように、パネルＰｂの下面板６は、その辺部から上面板５に向かって折曲されると共に、その先端から外方且つ下方に向かって折曲される係合片６Ａ，６Ｂが形成されている。また、目地材２７はパネルＰｂを接合する面に開口部を有する係合溝２７ａが長手方向に沿って形成され、パネルＰｂの接合状態において、係合片６Ａ，６Ｂが目地材２７の係合溝２７ａ内に隙間をおいて挿入されており、パネルＰｂの下面板６が下方に変位した際に、係合片６Ａ，６Ｂが目地材２７の係合溝２７ａに係合することにより、パネルＰｂの下面板６の剥離を最小限にすることができる。
【００５４】
この実施形態におけるパネルＰｂは、図７，図８に示すように、断熱心材２０Ｂと、断熱心材２０Ｂの上下に接着される表面板５，６（以下に上面板５，下面板６という）と、上面板５の内面側に当接される取付座金３０と、で構成されている。
【００５５】
図８に示すように、上下面板５，６の一端部（図において左側）には、その辺部から外方に向かって延設されると延設片５ａ，６ａと、延設片５ａ，６ａの先端から内方に向かって延設片５ａ，６ａと重なるように平行に折曲される水平片５ｂ，６ｂと、水平片５ｂ，６ｂの端部から対向する上下面板５，６に向かって折曲される折曲片５ｃ，６ｃと、折曲片５ｃ，６ｃの端部から外方且つ上方，下方にそれぞれ向かって折曲される傾斜片５ｄ，６ｄと、が形成されている。この場合、折曲片６ｃと傾斜片６ｄにより係合片６Ａが形成される。また、延設片６ａと水平片６ｂにより係合突出部６Ｃが形成されている。
【００５６】
一方、上下面板５，６の他端部（図において右側）には、その辺部から対向する上下面板５，６に向かって折曲される第１の折曲片５ｅ，６ｅと、第１の折曲片５ｅ，６ｅの先端から外方に向かって上下面板５，６と水平に折曲される水平片５ｆ，６ｆと、水平片５ｆ，６ｆの端部から内方に向かって上下面板５，６と水平に折曲される水平片５ｇ，６ｇと、水平片５ｇ，６ｇの端部から対向する上下面板５，６に向かって折曲される第２の折曲片５ｈ，６ｈと、第２の折曲片５ｈ，６ｈの端部から外方且つ上方、下方にそれぞれ折曲される傾斜片５ｉ，６ｉと、が形成されている。この場合、第２の折曲片６ｈと傾斜片６ｉにより上述した係合片（第２の係合片）６Ｂが形成される。また、第１の折曲片６ｅと水平片６ｆにより係合片（第１の係合片）６Ｄが形成されている。
【００５７】
このように上下面板５，６を同じ構造することにより、製造が容易になるとともに、表面板５，６の上下などを考慮せずに断熱心材２０Ｂと枠組みできることにより、断熱心材２０Ｂとの装着が容易になる。断熱心材２０Ｂは、図７，図８に示すように、方形状に形成されている。
【００５８】
上記のように構成されるパネルＰｂを作製するには、上記のように辺部が折曲された下面板６を断熱心材２０Ｂの下面と接着剤を介して接着した後、上記のように辺部が折曲された上面板５に両面粘着テープを介して取付座金３０を仮接着し、断熱心材２０Ｂの上面に接着剤を介して接着させる。
【００５９】
なお、第３実施形態において、その他の部分は上述した第１実施形態と同じであるので、同一部分には同一符号を付して説明を省略する。
【００６０】
次に、パネルＰｂの接合構造について説明する。図７に示すように、接合される両パネルＰｂ（パネルＰ５，Ｐ６）は目地材２７を介して接合する。図９に示すように、目地材２７は、不燃性例えば発泡押出しセメント製にて断面矩形状に形成されており、パネルＰｂを接合する面すなわち両側面に、上面板５に形成された傾斜片５ｄ，５ｉ及び下面板６に形成された傾斜片６ｄ，６ｉが、隙間をおいて挿入可能な開口部を有する係合溝２７ａが長手方向に形成されている。パネルＰ５，Ｐ６を接合するには、パネルＰ５，Ｐ６を対峙させた後、パネルＰ６の接合面に配置された上面板５の傾斜片５ｉ及び下面板６に形成された第２の係合片６Ｂの傾斜片６ｉを目地材２７の右側面に形成された係合溝２７ａに挿入し、パネルＰ５の接合面に配置された上面板５の傾斜片５ｄ及び下面板６に形成された係合片６Ａの傾斜片６ｄを目地材２７の左側面に形成された係合溝２７ａに挿入して接合する。この場合、図７に示すように、パネルＰｂの接合状態において、下面板６に形成された係合片６Ａ，６Ｂは目地材２７の係合溝２７ａ内に隙間をおいて挿入される。なお、水平片５ｂと水平片５ｂに沿って配置される水平片５ｆ、及び、係合突出部６Ｃと係合突出部６Ｃに沿って配置される第１の係合片６Ｄの間には、接触しないように隙間が形成されている。隙間を形成することにより、隣り合う上下面板５，６の接触によるヒートブリッジの発生を抑制することができる。
【００６１】
次に、パネルＰｂの下面板６が剥離によって下方に変位した場合について説明する。図１０には、パネルＰａ（パネルＰ５，Ｐ６）の下面板６が下方に変位した場合を誇張して図示してある。パネルＰ５，Ｐ６の下面板６は、下面板６が断熱心材２０Ｂから剥離し下方に変位すると下面板６に形成された係合片６Ａ，６Ｂが目地材２７に形成された係合溝２７ａに係合する。このため、下面板６の剥離を最小限にすることができる。その際、上面板５に形成された傾斜片５ｄ，５ｉは、目地材２７の上方に形成された係合溝２７ａに係合するため、目地材２７が下方に抜け落ちることはない。
【００６２】
なお、図１０においては、左右のパネルＰ５，Ｐ６の下面板６が下方に変位した場合について図示したが、例えば接合される一方のパネルＰ６の下面板６のみが剥離した場合、下面板６に形成された係合片６Ｄが他方のパネルＰ５の下面板６に形成された係合突出部６Ｃに係合する。このため、下面板６は第１の係合片６Ｄと係合突出部６Ｃの間の隙間分のみ下方に変位するので、パネルＰ６の下面板６の剥離を最小限にすることができる。
【００６３】
上記のように構成されるパネルＰｂの接合構造によれば、パネルＰ５，Ｐ６の下面板６が下方に変位した際に、下面板６が目地材２７と係合し、下面板２の剥離を最小限にすることができるため、パネルＰ５，Ｐ６の断熱性の維持が図れると共に、パネルＰ５とＰ６の接合部の気密性・断熱性の維持を図れる。
【００６４】
更に、Ｐ６の下面板６のみが下方に変位した際、パネルＰ６の下面板６がパネルＰ５に係合し、パネルＰ６の下面板６の剥離を最小限にすることができるため、パネルＰ６の断熱性の維持が図れると共に、パネルＰ５とＰ６の接合部の気密性・断熱性の維持を図れる。
【００６５】
＜第４実施形態＞
第１実施形態では、パネルＰ１の下面板２に形成される係合片２Ａ，２Ｂが上面板１に形成される係合受け片１Ａ，１Ｂに係合可能に形成したが、例えば、図１１に示すように、上面板７に形成された係合受け片７Ａ，７Ｂと下面板８に形成された係合片８Ａ，８Ｂの対向する面のうち、少なくとも一方に断熱部材５０が接着されていてもよい。
【００６６】
この実施形態における断熱パネルＰｃ（以下にパネルＰｃという）は、図１１，図１２に示すように、断熱心材２０Ｂと、断熱心材２０Ｂの上下に接着される表面板７，８（以下に上面板７，下面板８という）と、上面板７の内面側に当接される取付座金３０と、上面板７に形成される係合受け片７Ａ及び下面板８に形成される係合片８Ｂに接合される断熱部材５０と、で構成されている。
【００６７】
図１２に示すように、上面板７の一端部（図において左側）には、その辺部から外方に向かって延設されると延設片７ａと、延設片７ａの先端から内方に向かって延設片７ａと重なるように平行に折曲される水平片７ｂと、水平片７ｂの端部から下面板８に向かって折曲される折曲片７ｃと、折曲片７ｃの端部から外方に向かって上下面板７，８と平行に折曲される水平片７ｄと、水平片７ｄの端部から上方に向かって折曲される傾斜片７ｅがから形成されている。この場合、折曲片７ｃと水平片７ｄと傾斜片７ｅにより係合受け片７Ａが形成される。
【００６８】
一方、上面板７の他端部（図において右側）には、その辺部から上面板７に向かって折曲される第１の折曲片７ｆと、第１の折曲片７ｆの先端から外方に向かって上下面板５，６と水平に折曲される水平片７ｇと、水平片７ｇの端部から内方に向かって上下面板７，８と水平に折曲される水平片７ｈと、水平片７ｈの端部から下面板８に向かって折曲される第２の折曲片７ｉと、第２の折曲片７ｉの端部から内方に向かって上下面板７，８と平行に折曲される水平片７ｊと、水平片７ｊの端部から上方に向かって折曲される傾斜片７ｋが形成されている。この場合、第２の折曲片７ｉと水平片７ｊと傾斜片７ｋにより係合受け片７Ｂが形成される。
【００６９】
また、下面板８の一端部（図において左側）には、その辺部から外方に向かって延設されると延設片８ａと、延設片８ａの先端から内方に向かって延設片８ａと重なるように平行に折曲される水平片８ｂと、水平片８ｂの端部から上面板７に向かって折曲される折曲片８ｃと、折曲片８ｃの端部から内方に向かって上下面板７，８と平行に折曲される水平片８ｄと、水平片８ｄの端部から下方に向かって折曲される傾斜片８ｅが形成されている。この場合、折曲片８ｃと水平片８ｄと傾斜片８ｅにより係合片８Ａが形成される。また、延設片８ａと水平片８ｂにより係合突出部８Ｃが形成されている。
【００７０】
一方、下面板８の他端部（図において右側）には、その辺部から上面板７に向かって折曲される第１の折曲片８ｆと、第１の折曲片８ｆの先端から外方に向かって上下面板７，８と水平に折曲される水平片８ｇと、水平片８ｇの端部から内方に向かって上下面板７，８と水平に折曲される水平片８ｈと、水平片８ｈの端部から上面板７に向かって折曲される第２の折曲片８ｉと、第２の折曲片８ｉの端部から外方に向かって上下面板７，８と平行に折曲される水平片８ｊと、水平片８ｊの端部から下方に向かって折曲される傾斜片８ｋが形成されている。この場合、第１の折曲片８ｆと水平片８ｇにより係合片（第１の係合片）８Ｄが形成されている。また、第２の折曲片８ｉと水平片８ｊと傾斜片８ｋにより係合片（第２の係合片）８Ｂが形成される。
【００７１】
断熱部材５０は、断熱性を有する材質例えばセラミックファイバーあるいはロックウール製の矩形状に形成された押出形材である。断熱部材５０は上面板７に形成される折曲片７ｃの外方の長手方向に接着されている。断熱部材５０は、上面板７に形成された係合受け片７Ａの折曲片７ｃと下面板８に形成された係合片８Ａの折曲片８ｃの向かい合う面のうち、少なくとも一方に接着されていればよく、両方に接着されていてもよい。なお、断熱部材５０は、下面板８の他端部に形成される第２の折曲片８ｉの外方にも接着されている。
【００７２】
上記のように構成されるパネルＰｃを作製するには、予め上記のように辺部が折曲された上面板７に、両面粘着テープを介して折曲片７ｃの外方に断熱部材５０を接着すると共に、両面粘着テープを介して内面に取付座金３０を仮接着した後、断熱心材２０Ｂの上面に接着剤を介して接着させる。次に、上記のように辺部が折曲された下面板８に、両面粘着テープを介して第２の折曲片８ｉの外方に断熱部材５０を接着した後、断熱心材２０Ｂの下面に接着剤を介して接着させる。この際、図１１に示すように、上面板７に形成された係合受け片７Ａ，７Ｂと下面板８に形成された係合片８Ａ，８Ｂが、垂直方向において重複するように配置する。
【００７３】
なお、第４実施形態において、その他の部分は上述した第１，３実施形態と同じであるので、同一部分には同一符号を付して説明を省略する。
【００７４】
次に、パネルＰｃの接合構造について説明する。図１１に示すように、接合される両パネルＰｃ（パネルＰ７，Ｐ８）は接合面に、断面矩形状の目地材２８を介して接合する。この場合、目地材２８は、不燃性例えばアルミニウム合金製の押出形材にて形成される。パネルＰ７，Ｐ８を接合するには、パネルＰ７，Ｐ８を対峙させた後、パネルＰ８の接合面に目地材２７を係合させ、パネルＰ７を接合する。なお、水平片７ｂと水平片７ｂに沿って配置される水平片７ｇ、及び、係合突出部８Ｃと係合突出部８Ｃに沿って配置される第１の係合片８Ｄの間には、接触しないように隙間が形成されている。隙間を形成することにより、隣り合う上下面板７，８の接触によるヒートブリッジの発生を抑制することができる。
【００７５】
次に、パネルＰｃの下面板８が剥離によって下方に変位した場合について説明する。図１３には、パネルＰｃ（パネルＰ７，Ｐ８）の下面板８が下方に変位した場合を誇張して図示してある。パネルＰ７の下面板８は、下面板８が断熱心材２０から剥離し下方に変位すると、上面板７に形成される係合受け片７Ａに下面板８の係合片８Ａが係合する。また、パネルＰ８の下面板８は、上面板７に形成される係合受け片７Ｂに下面板８の第２の係合片８Ｂが係合する。このため、パネルＰ７，Ｐ８の下面板８の剥離を最小限にすることができる。
【００７６】
なお、図１３においては、両パネルＰ７，Ｐ８の下面板８が下方に変位した場合について図示したが、例えば接合される一方のパネルＰ８の下面板８のみが下方に変位した場合、下面板８に形成された第１の係合片８Ｄが他方のパネルＰ７の下面板８に形成された係合突出部８Ｃに係合する。このため、下面板８は第１の係合片８Ｄと係合突出部８Ｃの間の隙間分のみ下方に変位するので、パネルＰ８の下面板８の剥離を最小限にすることができる。
【００７７】
上記のように構成されるパネルＰｃの接合構造によれば、上面板７に形成された係合受け片７Ａ，７Ｂと下面板８に形成された係合片８Ａ，８Ｂの対向する面のうち、少なくとも一方に断熱部材５０が接着されているため、上面板７と下面板８の接触によるヒートブリッジの発生を抑制することができるため、パネルＰｃの断熱性能の向上を図ることができる。
【００７８】
また、パネルＰ７，Ｐ８の下面板８が下方に変位した際に、下面板８がパネルＰ７，Ｐ８の上面板７と係合し、下面板８の剥離を最小限にすることができるため、パネルＰ７，Ｐ８の断熱性の維持が図れると共に、パネルＰ７とＰ８の接合部の気密性・断熱性の維持を図れる。
【００７９】
更に、パネルＰ８の下面板８のみが下方に変位した際、パネルＰ８の下面板８がパネルＰ７に係合し、パネルＰ８の下面板８の剥離を最小限にすることができるため、パネルＰ８の断熱性の維持が図れると共に、パネルＰ７とＰ８の接合部の気密性・断熱性の維持を図れる。
【００８０】
＜第５実施形態＞
第２実施形態では、上面板３の辺部を折曲して係合受け片３Ａを形成したが、例えば、図１４に示すように、パネルＰ９の上面板９の下面に取付座金３２を連結し、取付座金３２に、上面板９の辺部から下面板４に向かって折曲されると共に、その先端から上下面板９，４と平行に折曲される係合受け片３２Ａを形成してもよい。この場合、図１６に示すように、パネルＰ９の下面板４は、その辺部から上面板９に向かって折曲されると共に、その先端から上下面板４，９と平行に折曲される係合片４Ａが形成され、下面板４が剥離によって下方に変位した際に、係合片４Ａが取付座金３２の係合受け片３２Ａを介して上面板９に係合する。
【００８１】
この実施形態における断熱パネルＰｄ（以下にパネルＰｄという）は、図１４，図１５に示すように、断熱心材２０Ａと、断熱心材２０Ａの上下に接着される表面板９，４（以下に上面板９，下面板４という）と、上面板９の内面側に当接される取付座金３０，３２と、で構成されている。
【００８２】
図１５に示すように、上面板９の一端部（図において左側）には、辺部から下面板４に向かって折曲される折曲片９ａが形成されている。
【００８３】
一方、上面板９の他端部（図において右側）には、辺部９ｂから下面板４に向かって折曲される折曲片９ｃと、折曲片９ｃの端部から外方且つ上下面板９，４と平行に折曲される水平片９ｄと、が形成されている。
【００８４】
取付座金３２は、図１４，図１５に示すように、上面板１の内面側に当接される矩形状の基板３２ａと、この基板３２ａの先端からパネルＰｄの側面に沿って下面板の方向に折曲される折曲片３２ｂと、この折曲片３２ｂの先端から基板３２ａと反対側に上下面板１，２に対して平行に折曲される水平片３２ｃとで一体に形成されている。この場合、折曲片３２ｂと水平片３２ｃにより上述した係合受け片３２Ａが形成される。基板３２ａの中央部に取付孔（図示せず）が設けられ、下面には取付孔に連通する取付ねじ受け部３２ｄが固着されている。取付座金３２は、パネルＰｄの一端部の所定の部位例えば角部に配置され、他端部の角部には取付座金３０が配置されている。
【００８５】
上記のように構成されるパネルＰｄを作製するには、上記のように辺部が折曲された上面板９に両面粘着テープを介して一端部の角部に取付座金３２を仮接着して係合受け片３２Ａを形成すると共に他端部の角部に取付座金３０を仮接着し、断熱心材２０Ａの上面に接着剤を介して接着した後、上記のように辺部が折曲された下面板４を、断熱心材２０Ａの下面に接着剤を介して接着させる。この際、図１４に示すように、上面板９に連結された取付座金３２に形成された係合受け片３２Ａと下面板４に形成された係合片４Ａが、垂直方向において重複するように配置する。
【００８６】
なお、第５実施形態において、その他の部分は上述した第２実施形態と同じであるので、同一部分には同一符号を付して説明を省略する。
【００８７】
次に、パネルＰｄの下面板４が剥離によって下方に変位した場合について説明する。図１６には、パネルＰｄ（パネルＰ９，Ｐ１０）の下面板４が下方に変位した場合を誇張して図示してある。パネルＰ９の下面板４は剥離によって下方に変位した際に、下面板４に形成された係合片４Ａが取付座金３２の係合受け片３２Ａを介して上面板９に係合する。このため、パネルＰ９は、下面板４の剥離を最小限にすることができる。一方、パネルＰ１０の下面板４は、下面板４が断熱心材２０Ａから剥離し下方に変位すると下面板４に形成された係合片４ＣがパネルＰ９の下面板４に形成された係合突出部４Ｂに目地材２６を介して係合する。このため、下面板４の剥離を最小限にすることができる。
【００８８】
なお、図１６においては、両パネルＰ９，Ｐ１０の下面板４が下方に変位した場合について図示したが、例えば接合される一方のパネルＰ１０の下面板４のみが剥離した場合、下面板４に形成された係合片４Ｃが、他方のパネルＰ９の下面板４に形成された下方に変位していない係合突出部４Ｂに係合する。このため、パネルＰ１０の下面板４の剥離を最小限にすることができる。
【００８９】
上記のように構成されるパネルＰｄの接合構造によれば、パネルＰ９の下面板４が下方に変位した際に、下面板４が取付座金３２を介して上面板９と係合し、下面板４の剥離を最小限にすることができるため、パネルＰ９の断熱性の維持が図れると共に、パネルＰ９とＰ１０の接合部の気密性・断熱性の維持を図れる。
【００９０】
更に、パネルＰ１０の下面板４のみが下方に変位した際、パネルＰ１０の下面板４がパネルＰ９に係合し、パネルＰ１０の下面板４の剥離を最小限にすることができるため、パネルＰ１０の断熱性の維持が図れると共に、パネルＰ９とＰ１０の接合部の気密性・断熱性の維持を図れる。
【符号の説明】
【００９１】
Ｐ，Ｐａ，Ｐｂ，Ｐｃ，Ｐｄ，Ｐ１，Ｐ２，Ｐ３，Ｐ４，Ｐ５，Ｐ６，Ｐ７，Ｐ８，Ｐ９，Ｐ１０  断熱パネル
１，３，５，７，９  上面板（表面板）
１Ａ，１Ｂ，３Ａ，７Ａ，７Ｂ，３２Ａ：係合受け片
２，４，６，８  下面板（表面板）
２Ａ，８Ｂ  第２の係合片（係合片）
２Ｂ，４Ａ，４Ｃ，６Ａ，６Ｂ，６Ｄ，８Ａ  係合片
２Ｃ，８Ｄ  第１の係合片（係合片）
２Ｄ，４Ｂ，６Ｃ，８Ｃ  係合突出部
２ｅ，４ａ，６ａ，８ａ  延設片
２０，２０Ａ，２０Ｂ  断熱心材
２５，２６，２７  目地材
２７ａ  係合溝
３２  取付座金
５０  断熱部材
【図１】
0005598978.tif 000002
【図２】
0005598978.tif 000003
【図３】
0005598978.tif 000004
【図４】
0005598978.tif 000005
【図５】
0005598978.tif 000006
【図６】
0005598978.tif 000007
【図７】
0005598978.tif 000008
【図８】
0005598978.tif 000009
【図９】
0005598978.tif 000010
【図１０】
0005598978.tif 000011
【図１１】
0005598978.tif 000012
【図１２】
0005598978.tif 000013
【図１３】
0005598978.tif 000014
【図１４】
0005598978.tif 000015
【図１５】
0005598978.tif 000016
【図１６】
0005598978.tif 000017